(57)【要約】【課題】撮影済フィルムのプリント処理とインスタント撮影との両方が可能で、かつ従来よりもコストの低い写真撮影システムを提供する。【解決手段】撮影部12内の電子スチルカメラは、被写体24を撮影して、被写体を表すカメラ画像データを出力する。ラボ部14内のフィルムスキャナは、撮影済のフィルムに記録されている画像を読み込んで画像を表すフィルム画像データを出力する。制御部106 は、カメラ画像データおよびフィルム画像データを印画紙プリンタ16に送り、印画紙プリンタ16は、画像データに応じた画像を印画紙にプリントする。【選択図】図１
2005322229.tif 000002
【特許請求の範囲】
【請求項１】
被写体を撮影し、被写体を表す画像を記録媒体上に生成する写真撮影システムであって、該システムは、
撮影料金を受け付ける受付手段と、
被写体を撮影して、被写体を表す画像データを出力する電子スチルカメラと、
前記画像データを受け付けて、該画像データに応じた画像を記録媒体上に可視化して生成するプリンタと、
前記受付手段が撮影料金を受け付けたときに、前記電子スチルカメラに撮影を行なわせ、得られた画像データを前記プリンタに順次送り、前記プリンタに画像を生成させる制御手段とを有することを特徴とする写真撮影システム。
【請求項２】
被写体を撮影し、被写体を表す画像を記録媒体上に生成する写真撮影システムであって、該システムは、
被写体を撮影して、被写体を表す画像データを出力する複数の電子スチルカメラと、
前記複数の電子スチルカメラからの画像データを受け付けて、該画像データに応じた画像を記録媒体上に可視化して生成するプリンタと、
前記得られた画像データを前記プリンタに順次送り、前記プリンタに画像を生成させる制御手段とを有することを特徴とする写真撮影システム。
【請求項３】
被写体を撮影し、被写体を表す画像を記録媒体上に生成する写真撮影システムであって、該システムは、
被写体を撮影して、被写体を表す画像データを出力する電子スチルカメラと、
前記画像データを受け付けて、該画像データに応じた画像を記録媒体上に可視化して生成するプリンタと、
前記画像データを受け付けて該画像データに対応する画像を可視化して表示する表示手段と、
前記表示手段に表示された画像データについて、該画像データに応じた画像を前記記録媒体上に生成させるかどうかの指示を受け付ける指示入力手段とを有し、
生成させるという指示を前記指示入力手段が受け付けたとき、生成を指示された画像データに対応した画像を前記プリンタに生成させる制御手段とを有することを特徴とする写真撮影システム。
【請求項４】
被写体を撮影し、被写体を表す画像を記録媒体上に生成する写真撮影方法であって、該方法は、
撮影料金を受け付けたときに、電子スチルカメラにより被写体を撮影して、被写体を表す画像データを出力し、
前記画像データを受け付けて、該画像データに応じた画像を記録媒体上に可視化して生成することを特徴とする写真撮影方法。
【請求項５】
被写体を撮影し、被写体を表す画像を記録媒体上に生成する写真撮影方法であって、該方法は、
複数の電子スチルカメラにより被写体を撮影して、被写体を表す画像データを出力し、
前記複数の電子スチルカメラからの画像データを順次受け付けて、該画像データに応じた画像を記録媒体上に可視化して生成することを特徴とする写真撮影方法。
【請求項６】
被写体を撮影し、被写体を表す画像を記録媒体上に生成する写真撮影方法であって、該方法は、
電子スチルカメラにより被写体を撮影して、被写体を表す画像データを出力し、
前記画像データを受け付けて該画像データに対応する画像を可視化して表示し、
前記表示された画像データについて、該画像データに応じた画像を前記記録媒体上に生成させるかどうかの指示を受け付け、
生成を指示された画像データを受け付けて、該画像データに応じた画像を記録媒体上に可視化して生成することを特徴とする写真撮影方法。
【発明の詳細な説明】
【技術分野】
【０００１】
本発明は、写真撮影システムおよび写真撮影方法に関し、特に、写真フィルムから写真プリントを作成するバッチ処理および写真のインスタント撮影に関する。
【背景技術】
【０００２】
撮影済のフィルムから写真プリントを作成するプリント作成装置では、撮影済のフィルムを露光し、撮影済のフィルムを透過した光を印画紙に当て、印画紙を感光させる処理が行なわれている。従来、この処理はバッチ処理として行なわれている。
【０００３】
ところで、証明証用写真等を短時間にかつ簡易に得るために、駅等に設置されてインスタント撮影を行ない、ただちに証明証用写真等を出力する簡易撮影装置がある。この装置を利用すると、設置場所がカメラ店等に限られているプリント作成装置を用いて写真プリントを入手する場合と異なり、撮影した場所で、かつ、ほぼリアルタイムで写真プリントが入手できる。
【発明の開示】
【発明が解決しようとする課題】
【０００４】
上記従来技術に係る２種類の装置の構成は全く異なり、また、作成される写真プリントの品質と、写真プリントをユーザが入手するまでに要する時間とが全く異なる。このため、撮影済フィルムの同時プリントや焼き増しプリントなどのプリント処理とインスタント撮影との両方を業務として行なう業者は、２種類の装置を購入する必要がある。そのため、コストが高くなるという問題がある。
【０００５】
また、従来の簡易撮影装置の多くはインスタント撮影を行なっており、高品位の証明証用写真が得られない。
【０００６】
さらに、従来の簡易撮影装置においては、撮影時にユーザが動いてしまった等の理由から撮影に失敗した場合でも、その写真をキャンセルすることはできず、所定の料金を払わなければならなかった。このように、従来の簡易撮影装置は、ユーザに取って使い勝手がよくないという問題がある。
【０００７】
本発明の第１の目的は、このような従来技術の欠点を解消し、撮影済フィルムの同時プリントや焼き増しプリントなどのプリント処理とインスタント撮影との両方が可能で、かつ従来よりもコストの低い写真撮影システムを提供することである。
【０００８】
本発明の第２の目的は、従来の簡易撮影装置と同様に簡易にかつ短時間で写真プリントが入手できるとともに、写真プリントが高品位である写真撮影システムを提供することである。
【０００９】
本発明の第３の目的は、従来の簡易撮影装置と同様に簡易にかつ短時間で写真プリントが入手できるとともに、撮影した画像のうち、プリントすべき画像を選択できる写真撮影システムを提供することである。
【課題を解決するための手段】
【００１０】
本発明は上述の第１の課題を解決するために、被写体を撮影して画像データを得ること、および撮影済フィルムを読み込んで画像データを得ることが可能な写真撮影システムであって、このシステムは、被写体を撮影して、被写体を表す第１の画像データを出力する電子スチルカメラと、撮影済のフィルムに記録されている画像を読み込んでこの画像を表す第２の画像データを出力するフィルムスキャナと、第１および第２の画像データを受け付けて、この画像データに応じた画像を記録媒体上に可視化して生成するプリンタと、第１の画像データおよび第２の画像データをプリンタに順次送り、プリンタに画像を生成させる制御手段とを有することとしたものである。
【００１１】
また、第２の課題を達成するために、被写体を撮影し、被写体を表す画像を記録媒体上に生成する写真撮影システムであって、このシステムは、撮影料金を受け付ける受付手段と、被写体を撮影して、被写体を表す画像データを出力する電子スチルカメラと、画像データを受け付けて、この画像データに応じた画像を記録媒体上に可視化して生成するプリンタと、前記受付手段が撮影料金を受け付けたときに、前記電子スチルカメラに撮影を行なわせ、得られた画像データをプリンタに順次送り、プリンタに画像を生成させる制御手段とを有することとしたものである。
【００１２】
さらに、上記第３の課題を解決するために、被写体を撮影し、被写体を表す画像を記録媒体上に生成する写真撮影システムであって、このシステムは、被写体を撮影して、被写体を表す画像データを出力する電子スチルカメラと、画像データを受け付けて、この画像データに応じた画像を記録媒体上に可視化して生成するプリンタと、画像データを受け付けてこの画像データに対応する画像を可視化して表示する表示手段と、表示手段に表示された画像データについて、この画像データに応じた画像を記録媒体上に生成させるかどうかの指示を受け付ける指示入力手段とを有し、生成させるという指示を前記指示入力手段が受け付けたとき、生成を指示された画像データに対応した画像を前記プリンタに生成させる制御手段とを有することとしたものである。
【００１３】
上記第１の課題に係る写真撮影システムによれば、電子スチルカメラは、被写体を撮影して、被写体を表す第１の画像データを出力する。フィルムスキャナは、撮影済のフィルムに記録されている画像を読み込んでこの画像を表す第２の画像データを出力する。プリンタは、第１および第２の画像データを受け付けて、この画像データに応じた画像を記録媒体上に可視化して生成する。制御手段は、第１の画像データおよび第２の画像データをプリンタに順次送り、プリンタに画像を生成させる。
【００１４】
このように、撮影済フィルムのプリント処理とインスタント撮影との両方の処理において、プリンタおよび制御手段が共用されるため、従来よりもコストの低い写真撮影システムを提供することができる。
【００１５】
また、第２の課題に係る写真撮影システムによれば、電子スチルカメラは、被写体を撮影して、被写体を表す画像データを出力する。プリンタは、画像データを受け付けて、この画像データに応じた画像を記録媒体上に可視化して生成する。制御手段は、画像データをプリンタに順次送り、プリンタに画像を生成させる。
【００１６】
電子スチルカメラおよびプリンタの解像度は、小さい場合でも現在は、１枚の写真当り４０万画素程度である。そのため、従来の簡易撮影装置に比べて、高品位である。本発明によれば、従来の簡易撮影装置と同様に簡易にかつ短時間で写真プリントが入手できるとともに、写真プリントが高品位である写真撮影システムを提供することができる。
【００１７】
さらに、上記第３の課題に係る写真撮影システムによれば、表示手段は、画像データを受け付けてこの画像データに対応する画像を可視化して表示する。指示入力手段は、表示手段に表示された画像データについて、この画像データに応じた画像を記録媒体上に生成させるかどうかの指示を受け付ける。生成させるという指示を指示入力手段が受け付けたとき、制御手段は、生成を指示された画像データに対応した画像をプリンタに生成させる。
【００１８】
このように本発明によれば、従来の簡易撮影装置と同様に簡易にかつ短時間で写真プリントが入手できるとともに、撮影した画像のうち、プリントすべき画像を選択できる写真撮影システムを提供することができる。
【発明の効果】
【００１９】
このように本発明によれば、撮影済フィルムのバッチ処理とインスタント撮影との両方が可能で、かつ従来よりもコストの低い写真撮影システムを提供することができる。
【００２０】
また、従来の簡易撮影装置と同様に簡易にかつ短時間で写真プリントが入手できるとともに、写真プリントが高品位である写真撮影システムを提供することができる。
【００２１】
さらに、従来の簡易撮影装置と同様に簡易にかつ短時間で写真プリントが入手できるとともに、撮影した画像のうち、プリントすべき画像を選択できる写真撮影システムを提供することができる。
【発明を実施するための最良の形態】
【００２２】
次に添付図面を参照して本発明による写真撮影システムの実施例を詳細に説明する。本発明に係る写真撮影システムの一実施例のブロック図を図１に示す。
【００２３】
本実施例は、撮影済フィルムのバッチ処理（ラボ処理）とインスタント撮影との両方の処理を１つの写真撮影システムにより行なうものであり、従来の簡易撮影装置と同様に、簡易に、かつ短時間で写真プリントが入手できるとともに、得られた写真プリントが高品位である。さらに、本実施例では、インスタント撮影により複数の画像が撮影された場合、その中からプリントすべき画像を選択することができる。
【００２４】
また、本システムは、本システムのオペレータの操作により切り替えられる３つの運転モードを有する。通常の運転モードでは、ラボ処理とインスタント撮影との両方の処理要求を受付可能であり、インスタント撮影専用モードでは、インスタント撮影の処理要求のみを受け付け、ラボ処理専用モードでは、ラボ処理の処理要求のみを受け付ける。
【００２５】
通常の運転モードのとき、ラボ処理とインスタント撮影は並行して行なうことができるが、プリンタは、ラボ処理とインスタント撮影で共用するために、インスタント撮影中は、ラボ処理ではプリンタは使用できないこととし、ラボ処理ではフィルムスキャナによるフィルムの読み込み処理のみを行ない、得られた画像データはハードディスクに蓄積しておき、インスタント撮影が行なわれていないときにプリンタによりプリントすることとする。
【００２６】
図１に示す写真撮影システム10は、インスタント撮影を行なう撮影部12と、写真フィルムの読み込みを行なうフィルム処理部14と、撮影部12およびフィルム処理部14により共用される印画紙プリンタ16と、システム10全体の制御を行なう制御部106 と、運転モードの設定等の本システム10を操作するための指示およびデータをオペレータが入力するために用いる操作部108 と、これら各部の間でプログラムやデータを入出力する際に使用されるバス100 とを有する。
【００２７】
制御部106 は、CPU18 と、CPU18 が処理を実行する際にデータを読み書きするために使用するシステム用RAM20 と、CPU18 が実行する処理プログラムおよびこのプログラムの実行に必要なデータを格納するシステム用ROM22 と、システム10内の各機器への電源供給をコントロールする電源制御回路112 とを有する。
【００２８】
バス100 を介してシステム10内の各装置が画像データ、制御用データ（後述するデータ生成回路が生成するデータ等）、その他のデータを転送する際は、各装置はCPU18 に対してバス占有要求を図示しない信号線を介して送り、CPU18 は予め定められた優先順位を考慮してバスを占有させる装置を決定し、その装置に対してバス占有許可を図示しない信号線を介して送る。
【００２９】
通常の運転モード時に起こる、ラボ処理とインスタント撮影との間のプリンタ16の使用の競合を調整するために、システム用RAM 20内に、「インスタント撮影中フラグ」と、「ラボ用プリント未了フラグ」とを格納する領域を設ける。
【００３０】
インスタント撮影中フラグは、インスタント撮影が行なわれていることを示すフラグであり、後述する撮影部12のコイン検知器126 からのコイン検知信号によりインスタント撮影の要求をCPU 18が検知したときに、CPU 18によりこのフラグの値が「１」にセットされる。インスタント撮影のプリントが終了したときにCPU 18によりこのフラグの値は「０」にセットされる。
【００３１】
ラボ用プリント未了フラグは、ラボ処理によりフィルムの読み込みは行なわれたが、プリントすることができない画像データがハードディスク90に記録されていることを示すものである。フィルムスキャナ88の読み込み開始ボタンをオペレータが押すことにより、フィルムの読み込み処理は開始されるが、１コマ読み込むごとにインスタント撮影中であるかどうかがコントローラ36によりインスタント撮影中フラグを用いて判断され、インスタント撮影中であることを検知したときに、コントローラ36によりラボ用プリント未了フラグは「１」にセットされる。インスタント撮影が終了後、CPU 18は、このフラグの値が１のときは、プリンタ16にハードディスク90内のデータを順次プリントさせ、ハードディスク90内のデータがすべてプリントされたときにこのフラグの値を「０」にセットする。
【００３２】
本システム10においては、通常の運転モードのときは、上記各部のすべてが動作可能な状態にあるが、ラボ処理専用モードのときは、撮影部12をシステム10から切り離し、フィルム処理部14と、印画紙プリンタ16と、制御部106 と、操作部108 と、バス100 とからなる構成で、ラボ処理のみを行なう。インスタント撮影専用モードのときは、フィルム処理部14については後述する画像処理装置82およびコントローラ36を除いてフィルム処理部14の運転を停止し、撮影部12と、印画紙プリンタ16と、画像処理装置82と、コントローラ36と、制御部106 と、操作部108 と、バス100 とからなる構成で、高品位なインスタント撮影のみを行なう。
【００３３】
なお、印画紙プリンタの代わりに、フィルムにプリントするフィルムプリンタを用いてもよい。
【００３４】
図２に撮影部12の一実施例の構成を示す。撮影部12は、ユーザ24を撮影する機能と、撮影された画像データ（以下では「カメラ画像データ」と呼ぶ）をCRT26に表示する機能と、表示されたカメラ画像データのうちプリントすべきカメラ画像データの指示を受けて、指示されたカメラ画像データをプリンタ16に出力する機能とを有する。
【００３５】
ユーザ24の撮影は、ユーザ24の撮影指示が後述するスイッチ部30からあったときに、電子スチルカメラ28により行なわれる。撮影指示はスイッチ部30内の撮影ボタン38を押すことにより入力される。撮影ボタン38が押されるごとに撮影が行なわれるので、ユーザ24は必要ならば、撮影毎に撮影ポーズを変えることができる。撮影回数については、たとえば、コインの投入をコイン検知器126 を用いて検知した後、最高何回まで撮影を許可するかを示す数をシステム用ROM 22に記憶しておく。実際の撮影回数（撮影ボタン38が押された回数）の記録は、コイン投入後、撮影ボタン38が押されるごとに、システム用RAM20 内の所定領域に格納する数を１から順次カウントアップすることにより行なわれる。本実施例では、２回まで撮影可能とする。
【００３６】
なお、撮影料金を受け付ける受付手段としては、コイン検知器に限られるものではなく、金銭または金銭に等価なものを検知する手段、たとえば、紙幣読取器、クレジットカードまたはプリペイドカード読取器等を用いてもよい。
【００３７】
撮影されたカメラ画像データは、撮影されるとすぐに電子スチルカメラ28から信号線118 、バス100 、信号線116 、ビデオRAM 32、DAC （デジタルアナログコンバータ）34を順に介してCRT26 に送られて表示される。ユーザ24は表示された画像を見て撮影状態（照明光のユーザへの照射方向、撮影ポーズ等）を確認することができ、次の撮影のために撮影状態を変更する際の参考とすることができる。複数回の撮影が行なわれたときは、図３に示すように、複数回の撮影画像が横に並べられて１画面内に表示される。図３は、撮影が２回行なわれた場合の、CRT26 の画面表示の１例である。左側に表示される画像48が１回目に撮影された画像であり、右側に表示される画像50が２回目に撮影された画像である。CRT26 は、たとえば、電子スチルカメラ28の隣に、かつ電子スチルカメラ28が設置されている高さとほぼ同じ高さに設置される。
【００３８】
なお、画面46には、図示する撮影された画像以外に、ユーザ24のスイッチ部30操作をガイドするために、次に行なうべきスイッチ操作を示すメッセージを、画面内の撮影画像が表示されていない空き領域に表示することとしてもよい。また、メッセージを撮影画像の表示領域に重ねて表示することとしてもよい。
【００３９】
撮影されてビデオRAM32 に格納されたカメラ画像データのうち、ユーザが選択した画像データのみが、信号線116 、バス100 、信号線124 をこの順に介して画像処理装置82に送られ、後述する処理が行なわれてプリンタ用画像データが生成される。プリンタ用画像データは信号線124 、バス100 、信号線128 、コントローラ36、信号線204(図６に示す）をこの順に介して印画紙プリンタ16に送られる。
【００４０】
撮影部24のスイッチ部30に設けられているスイッチボタンを図４に示す。スイッチ部30は、ユーザ24の手元の近くであって、電子スチルカメラ28の視野外に設置される。スイッチ部30には、撮影を指示する撮影ボタン38と、CRT26 に表示された画像のうち、ユーザ24がプリントを希望する画像を指定するための選択ボタン40、42 と、選択が終了したことをシステム10に通知するためのプリントボタン44とがその上面に設けられている。スイッチ部30は、図示しないデータ生成回路をその内部に有する。データ生成回路は、ボタン38、40、42、44 が押されるたびに、どのボタンが押されたかを検知し、そのボタンに応じたデータを生成し、信号線120 、およびバス100 を介してそのデータをCPU18 に送る。すなわち、データ生成回路は、撮影ボタン38が押されると、そのたびに撮影開始を要求する撮影開始データを信号線120 、およびバス100 を介してCPU18 に送る。ユーザが３回以上撮影ボタン38を押した場合、CPU18 は、スイッチ部30から送られて来た撮影開始データを無視する。
【００４１】
左選択ボタン40が押されると、データ生成回路は、図３の左側の画像が選択されたことを示す左選択データをCPU18 に送り、右選択ボタン42が押されると、図３の右側の画像が選択されたことを示す右選択データをCPU18 に送る。プリントボタン44が押されると、データ生成回路は、プリント開始を要求するプリント開始データをCPU18 に送る。
【００４２】
なお、本実施例では、スイッチ部30を設けて指示を入力することとしたが、指示を入力する手段は、これに限られるものではなく、たとえば、CRT26 の画面上にタッチパネルを設け、画面上の撮影画像が表示されている領域以外の部分にスイッチ部30と同等の表示を行ない、タッチパネルをユーザ24がタッチすることにより、指示を入力することとしてもよい。
【００４３】
図２に戻って、電子スチルカメラ28は、撮影ボタン38が押されたとき、撮影開始指示をCPU18 から信号線118 、およびバス100 を介して受けて、ユーザ24を撮影する。撮影して得られたカメラ画像データは、ユーザ24が確認できるようにCRT26 に送られる。選択が終了すると、システム用RAM20 へ選択されたカメラ画像データのみが送られ、システム用RAM20 から画像処理装置82に送られる。
【００４４】
画像処理装置82では、ユーザ24が選択したカメラ画像データをもとに、１枚の印画紙に同じ画像のプリントが予め定められた部数、たとえば、４部焼き付けられるように、プリンタ用画像データが生成され、生成された画像データは、信号線124 、バス100 、信号線128 、およびコントローラ36をこの順に介して印画紙プリンタ16に送られる。
【００４５】
電子スチルカメラ28の一実施例を図５に示す。電子スチルカメラ28は、撮像部52と、アナログ／デジタル変換回路54と、インタフェース回路56と、制御回路58と、同期発生回路60とを有する。
【００４６】
撮像部52は、撮像レンズ62、絞り64、撮像デバイス66、図示しない測光・測距機構およびそれらの駆動機構などの静止画像の撮影に必要な要素を有し、撮像レンズ62の合焦、絞り64の制御などは制御回路58から制御線68を介して制御される。撮像デバイス66は、たとえばCCD またはMOS などが使用される。固体撮像デバイスにはRGB(赤、緑、青) の３色、計３枚の色フィルタ（図示しない）が装着され、同期発生回路60から駆動線70を通して受けるクロックに応動して各色成分ごとの映像信号を信号線72にパラレルに出力する。
【００４７】
信号線72はアナログ／ディジタル変換器(ADC) 54の入力に接続され、同変換器54はその入力されたアナログ形式の映像信号を、たとえばRGB 各色ごとに８ビットの対応するディジタルデータに変換して信号線74に出力する信号変換回路である。信号線74はインタフェース回路56に接続される。
【００４８】
制御回路58は、インタフェース回路56から信号線76を介して受け付けた指示信号に応動して本装置全体の動作を制御する。制御回路58が出力する制御信号は、制御線78を介して同期発生回路60に、制御線68を介して撮像部76に、そして制御線80を介してアナログ／ディジタル変換器54に送られる。制御回路58はまた、これらの制御線78、68および80によって装置各部の状態を監視している。制御回路58は、各部を制御して、インタフェース回路56を介してバス100 へ画像データを出力する機能も有する。
【００４９】
同期発生回路60は、制御回路58により制御線78を介して制御され、撮像デバイス66を駆動して信号線72から映像信号を出力させる際に必要なクロックまたはアドレスなどの駆動信号を信号線70に出力する同期信号発生回路である。また、アナログ／ディジタル変換器54を駆動するための駆動信号を信号線84に出力する。
【００５０】
インタフェース回路56は、バス100 、および信号線118 を介してCPU18 から撮影開始指示を受けて、この指示を制御回路76に送る。また、バス100 、および信号線118 を介してCPU18 から露光設定指示、白バランス調整指示などの様々な指示を受けて、これらを信号線76によって制御回路58に与える機能を有する。さらに、制御回路58から本装置の状態を示すデータを信号線76から受けてこれをCPU18 に送る機能を有する。インタフェース回路56は、撮影して得られたカメラ画像データを、バス100 を介して図２に示すビデオRAM （フレームメモリ、リフレッシュメモリとも呼ばれる）32に送る。
【００５１】
図２に戻って、ビデオRAM32 は、撮影ボタン38（図４に示す）が押されるたびに撮影が行なわれて送られて来るカメラ画像データを順次記憶する。このデータは、ただちにCRT26 に表示するためにDAC 34に送られる。プリントボタン44が押されると、ユーザが選択したカメラ画像データのみがビデオRAM32 からシステム用RAM20 に送られる。その後、ビデオRAM32 のカメラ画像データはクリアされ、次の撮影に備える。
【００５２】
ビデオRAM32 においては、ビデオRAM32 内のカメラ画像データの格納位置と、CRT26 の画面上のカメラ画像データの表示位置とが対応付けられている。ビデオRAM32 に送られて来たカメラ画像データは、CPU18 の制御の下に、図３に示す表示位置に対応した格納位置に記憶される。なお、画面の空き領域にスイッチ操作を指示するメッセージを表示する場合、CPU18 は、メッセージを表示する画面上の位置に対応したビデオRAM32 内の格納位置に、メッセージをビットパターン化したパターンデータを書き込む。ビデオRAM32 に書き込まれたカメラ画像データやパターンデータは、これらのデータに対応した表示を行なうために、CRT26 の画面の走査順に読み出されて、DAC34 に送られる。
【００５３】
DAC34 は、ビデオRAM32 に書き込まれたカメラ画像データやパターンデータを受け付けて、アナログ信号に変換し、その後、CRT26 に送る。CRT26 は、アナログ信号を受けて表示を行なう。CRT26 は、陰極線管(CRT) を用いた表示装置であるが、カメラ画像データの表示装置はこれに限られるものではなく、液晶を用いた表示装置でもよい。
【００５４】
次にフィルム処理部14について図６により説明する。フィルム処理部14は、撮影済のフィルムをフィルムスキャナ88を用いて読み込む機能、読み込んだ画像データ（以下では「フィルム画像データ」と呼ぶ）を補正する機能、補正後のデータをフィルム処理部14内のCRT110に表示する機能、補正後のフィルム画像データを印画紙プリンタ16に出力する機能、印画紙プリンタ16がインスタント撮影に使用されているためにラボ処理に使用できないときに、フィルムスキャナ88により読み込んだフィルム画像データを一時的にハードディスク(HD)90に記憶する機能、および撮影部12で撮影されたカメラ画像データのうちユーザが指定したカメラ画像データを受け付けて、このデータから前述のプリンタ用画像データを画像処理装置82において生成して印画紙プリンタ16に出力する機能を有する。
【００５５】
フィルム処理部14は具体的には以下のように処理を行なう。フィルム処理部14のフィルムスキャナ88は、撮影済みのフィルムを読み込んでフィルム画像データを出力する。フィルムスキャナ88のフィルムカセット92にセットされたフィルム94は、本実施例においては１コマずつ読み込みが行なわれる。１つのコマの読み込みが終わるたびにインスタント撮影中であるかどうかがインスタント撮影中フラグを用いてコントローラ36により判断される。インスタント撮影の要求がなければ、読み込んだフィルム画像データは、信号線200 、コントローラ36、信号線128 、バス100 をこの順に介してシステム用RAM20 に出力され、システム用RAM20 に記憶されたフィルム画像データは、バス100 、信号線124 を介して画像処理装置82に送られて、後述する補正が行なわれる。補正後のデータはフィルム処理部14内のCRT110に表示される。また、補正後のフィルム画像データは、信号線124 、バス100 、信号線128 、コントローラ36、信号線204 をこの順に介して印画紙プリンタ16に送られる。
【００５６】
インスタント撮影の要求があるときは、要求を検知したときにフィルムスキャナ88による読み込みが終了していてプリントが終了していないコマを含めて、このコマ以降のフィルムのコマについてはそのフィルム画像データはフィルムスキャナ88から信号線200 、コントローラ36、信号線202 をこの順に介してハードディスク90に送られて記憶される。
【００５７】
インスタント撮影が終了した後に、ハードディスク90に記憶されているフィルム画像データは、前記と同様の処理が行なわれる。すなわち、このデータは、信号線202 、コントローラ36、信号線128 、バス100 をこの順に介してシステム用RAM20 に出力され、その後、フィルム画像データは、バス100 、信号線124 を介して画像処理装置82に送られて、後述する補正が行なわれる。補正後のデータはフィルム処理部14内のCRT110に表示される。また、補正後のフィルム画像データは、信号線124 、バス100 、信号線128 、コントローラ36、信号線204 をこの順に介して印画紙プリンタ16に送られる。
【００５８】
次に、フィルム処理部14の各部について説明する。フィルムスキャナ88は、撮影済のフィルムを１コマずつ読み込み、読み込んだフィルム画像データを出力する機能を有する。撮影済のフィルム94はフィルムカセット92にオペレータによりセットされ、セット後にオペレータが読み込み開始ボタンを押すと、フィルムスキャナ88は読み込みを開始する。撮影済のフィルム94は、フィルムカセット92の下方に設けられている光源（図示しない）を用いてフィルム94の下から光をあてられて露光される。フィルム94を透過した光は、色フィルタと２次元に配列されたCCD(またはMOS)とを有する撮像デバイス98上に、レンズ96により結像される。撮像デバイス98により画像は、画像信号に変換される。撮像デバイス98は、たとえば、RGB ３色に対応して３個の撮像デバイスを有する３板式のものである。そして、各撮像デバイスは、 150万画素を有する撮像デバイスを４個含み、各色ごとに 600万画素の高解像度を実現することもできる。撮像デバイス98が出力した画像信号は、アナログデジタル変換器(ADC)102によりフィルム画像データに変換される。フィルム画像データは、さらにRAM104に一時的に記憶された後、コントローラ36を介してシステム用RAM 20もしくはハードディスク90のいずれかに送られる。
【００５９】
なお、フィルムスキャナの方式としては、上記の２次元に配列された固体撮像素子を用いる方式に限られるものではなく、１次元に配列されたCCD 等の固体撮像素子からなる固体撮像デバイス（ラインセンサ）と、ラインセンサを用いて２次元のスキャンを可能とするためにフィルムを、ラインセンサ内のCCD 等の配列方向と垂直な方向に機械的に駆動する駆動機構とを用いる方式でもよい。また、固体撮像デバイスの代わりに撮像管を用いてもよい。
【００６０】
フィルムスキャナ88は、オペレータがフィルムをセットした後、読み込み開始ボタンを押すと、読み込みを開始する。１コマ分のデータを読み込み、RAM104に蓄積すると、コントローラ36に１コマ分の読み込みが終了したことを通知する。その際に、フィルムカセット92にセットされたフィルム全体の読み込みが終了した場合は、そのことをコントローラ36に通知するとともに、次に、読み込み開始ボタンが押されるまで待機状態に入る。
【００６１】
コントローラ36は、通知を受けると、インスタント撮影中フラグによりインスタント撮影中であるかどうかを判断し、インスタント撮影中であるときは、フィルム画像データをハードディスク90に送る。また、ラボ用プリント未了フラグを１にセットする。インスタント撮影中でないときは、フィルム画像データをシステム用RAM 20に送る。１コマ分のデータ転送が終了後、コントローラ36は、フィルム全体の読み込みが終了していないときは、フィルムスキャナ88に次のコマの読み込みを指示する。
【００６２】
コントローラ36は、また、画像処理装置82で補正されたフィルム画像データと画像処理装置82で生成されたプリント用画像データとを、CPU18 に指示されて、受け付けて印画紙プリンタ16に送る。画像処理装置82からのプリント用画像データが印画紙プリンタ16において優先的にプリントされる。プリント用画像データのプリント処理が終了後、コントローラ36は、ハードディスク90に記憶されているフィルム画像データを印画紙プリンタ16に送り、印画紙プリンタ16にプリントさせる。
【００６３】
画像処理装置82は、撮影部12で撮影されたカメラ画像データのうちユーザが指定した画像データを受け付け、前述のプリンタ用画像データを生成して印画紙プリンタ16に出力する機能と、フィルム画像データをCRT110に表示してオペレータの便宜を図るために、フィルム画像データをDAC86 に書き込む機能と、フィルム画像データをオペレータの指示により補正する機能とを有し、撮影部12とフィルム処理部14とに共用される。補正の内容としては、色バランス調整、白バランス調整、画像の濃度調整、画像の階調調整、ネガ／ポジ反転がある。
【００６４】
ハードディスク90は、印画紙プリンタ16がインスタント撮影に使用されているためにラボ処理用に使用できないときに、フィルム画像データを一時的に記憶する機能と、システム10の運転データ（予め設定されている撮影部12の運転時刻等の運転条件、処理したフィルムの識別情報、処理件数、フィルム画像データの補正条件等）を記憶する機能とを有する。
【００６５】
CRT110は、読み込まれて補正前のフィルム画像データまたは補正後のフィルム画像データをオペレータが確認できるように表示するものである。
【００６６】
次に、印画紙プリンタ16について説明する。印画紙プリンタ16は、フィルム画像データおよびプリント用画像データを受け付けてプリントする機能を有する。印画紙プリンタ16は、たとえば、管面撮影方式またはレーザ方式のプリンタである。
【００６７】
管面撮影方式のプリンタは、その内部構成は図示しないが、たとえば、プリントすべき画像データを受け付けて記憶するビデオRAM と、モノクロのブラウン管と、ブラウン管が出力する光を印画紙上に結像させるためのレンズと、レンズを通過した光のうち特定の色成分のみを透過させるRGB ３枚の色フィルタとを含む。ビデオRAM からは色成分毎に計３回の読み出しが行なわれる。ブラウン管は、色成分ごとに計３回発光する。ブラウン管の前面におく色フィルタは、読み出された色成分に対応して順次替えられる。印画紙は、RGB の各色毎に計３回感光することになる。
【００６８】
レーザ方式のプリンタは、たとえば、各々がRGB のうちの１つの色成分の光を出力する３個の、レーザダイオードを光源として含む発光部と、画像データに応じて発光部の出力光の強度を調整する光変調部と、回転多面鏡と、f-θレンズと、印画紙を駆動する駆動機構とを有し、レーザ光により印画紙を感光させる。回転多面鏡と、f-θレンズとは、印画紙の横（水平）方向にレーザ光を走査させるためのものであり、駆動機構は、縦（垂直）方向にレーザ光を走査させるためのものである。
【００６９】
なお、本実施例の印画紙プリンタは、印画紙１枚分の画像データを受け付けるたびに、印画紙にプリントするものであるが、容量の大きいメモリを内蔵することとし、プリント処理中であっても画像データを受け付けてメモリに順次蓄積することとしてもよい。そして、フィルム画像データとプリント用画像データがメモリに蓄積されているときは、プリント用画像データを優先してプリントすることとしてもよい。
【００７０】
また、プリンタは、印画紙やフィルムにプリントするもの以外に、普通紙や熱転写紙にプリントするものでもよい。この場合は、リボン式やインクジェット式等のインクを紙に塗布する方式のプリンタを用いることができる。
【００７１】
図１に戻って、操作部108 は、オペレータが運転モードの設定、画像処理装置82における補正方法の設定を行なうために使用されるものであり、キーボードまたはマウスを含む。設定結果はシステム用RAM20 に記憶される。オペレータは、CRT110を見ながら対話形式で設定を行なう。
【００７２】
制御部106 は、操作部108 から入力される運転モードに応じて各機器を動作可能もしくは動作不能に設定する機能と、各機器を制御してインスタント撮影およびラボ処理を行なう機能とを有する。各機器の動作可能／不能の設定は、電源制御回路112 がCPU18 の指示を受けて各機器への電力供給をオン・オフすることにより行なわれる。
【００７３】
制御部106 は通常の運転モードにおいては、本実施例においては、撮影部12にあるコイン検知器126 によりユーザがコインを投入したことを検知してインスタント撮影の処理を開始する。なお、コイン検知器126 の代わりにインスタント撮影開始ボタンを設けてもよい。また、撮影ボタン38をインスタント撮影開始ボタンとしてもよい。
【００７４】
インスタント撮影の処理が開始された後に撮影ボタン38が押されると、制御部106 は電子スチルカメラ12に撮影を指示し、得られたカメラ画像データをビデオRAM32 に転送させる。ユーザが選択ボタン40、42 を押すと、いずれが選択されたかを示す表示物をCRT26 に表示させる。この表示方法としては、たとえば、図３に示すように選択された画像の下部に「プリント」の文字114 を表示する。プリントボタン44が押されたときは、選択された方のカメラ画像データのみをシステム用RAM20 に送る。選択ボタン44が押されることなくプリントボタン44が押されたときは、制御部106 はデフォルトで規定されている方（たとえば２回目の撮影結果）を画像処理装置82に送り、前述のプリンタ用画像データを生成させる。
【００７５】
プリントが終了したとき、またはコインの投入を検知しないとき、制御部106 は、プリント未了フラグの値を調べて１である（ラボ用プリントを中断している）場合は、ハードディスク90に格納されているフィルム画像データをプリンタ16にプリントさせる。
【００７６】
インスタント撮影の要求がないときは、フィルム画像データを１コマ読むごとに印画紙プリンタ16にプリントさせる。
【００７７】
次に本システム10の動作について、図7、8、9、10、11 のフロー図により説明する。図７は全体フローを示す。制御部106 は、操作部108 によりどの運転モードが設定されているかをシステム用RAM20 に記憶されている情報により調べる。最初に通常の運転モードが設定されているかどうかを調べる（ステップ S10）。このモードが設定されているときは、電源制御回路112 を制御して本システム10のすべての機器をオンさせる。そしてインスタント撮影およびラボ処理を並行して行なう。この処理の詳細は後述する。この処理が終了後ステップ S10に戻る（ステップ S12）。通常の運転モードでないときは、インスタント撮影専用モードが設定されているかどうかを調べる（ステップ S14）。インスタント撮影専用モードが設定されているときは、電源制御回路112 を制御して前述の所定の機器のみをオンさせる。そしてインスタント撮影のみを行なう。この処理の詳細は後述する。この処理が終了後ステップS10 に戻る（ステップ S16）。インスタント撮影専用モードが設定されていないときは、ラボ処理専用モードであるため、電源制御回路112 を制御して前述の所定の機器のみをオンさせる。そしてラボ処理のみを行なう。ラボ処理の内容については後述する。この処理が終了後ステップ S10に戻る（ステップ S18）。
【００７８】
図8、9、10、11 により通常の運転モードのときの処理フローについて説明する。図８にインスタント撮影を行なう場合の処理フローを示す。制御部106 は、コイン検知器からの信号によりインスタント撮影の要求があるかどうかを判断する（ステップ S30）。要求がない場合は、インスタント撮影を行なわずに、ステップ46に進む。
【００７９】
インスタント撮影を行なうと判断した場合は、インスタント撮影中フラグを１にするとともに、ステップ S32からステップ S44によりスイッチ部30内のどのボタンが押されたかを調べて、押されたボタンに対応する処理を行なう。最初に行なわれる処理は撮影／選択処理である（ステップ S32）。この処理の詳細について図11を参照して説明する。
【００８０】
ユーザが撮影ボタン38を押したかどうかを調べる（ステップ S80）。撮影ボタン38が押された場合は、システム用RAM20 の内容を調べて、今回を含めて押された回数が３回以上であるかどうかを調べる（ステップ S82）。２回目以下であるときは電子スチルカメラ28により撮影を行なう。得られた画像データはビデオRAM32 に送る（ステップ S84）。３回目以上であるときは撮影をしない。この場合および撮影ボタンが押されなかったと判断したときは、制御部106 は選択ボタン40、42 が押されたかどうかを判断する（ステップ S86）。選択ボタン40、42 が押されたときは選択結果を表示する（ステップ S88）。
【００８１】
次に、図８に戻って、プリントボタン44が押されたかどうかを判断する。プリントボタン44が、まだ押されていないときはステップ S32に戻る（ステップ S42）。プリントボタン44が押されたときは、選択されたカメラ画像データをビデオRAM32 はシステム用RAM20 に送る。次に、システム用RAM20 から画像処理装置82に送られて、プリント用画像データが生成される。このデータはコントローラ36を介して印画紙プリンタ16に送られてプリントされる。このようにしてユーザは、プリントを入手することができる（ステップ S44）。
【００８２】
ラボ処理用のプリントを中断してインスタント撮影が行なわれている場合があるので、インスタント撮影用のプリントが終了後CPU18 は、インスタント撮影中フラグを０にするとともに、ラボ用プリント未了フラグの値を調べることにより、中断しているかどうかを判断する。中断していない場合は図７のステップ S10に戻る。中断している場合は、後述する図10の処理を行なう（ステップ S46）。
【００８３】
次に、ラボ処理について図9、10により説明する。図９は、ラボ処理のうち、インスタント撮影と並行して行なうことができる処理およびインスタント撮影により中断されない場合のプリント処理を示す。フィルムスキャナ88は、フィルムスキャナ88内の図示しない読み込み開始ボタンが押されたかどうかを判断する（ステップ S50）。ボタンが押されない場合は、押されるまで待機する。ボタンが押されたときフィルムスキャナ88は１つのコマを読み込み、RAM 104 にフィルム画像データを格納する（ステップ S52）。
【００８４】
その後、フィルムスキャナ88は読み込み完了をコントローラ36に通知する。コントローラ36は、インスタント撮影中フラグによりインスタント撮影の要求があるかどうかを判断する（ステップ S54）。要求がない場合は、フィルム画像データをシステム用RAM20 に送る。次に、画像処理装置82に、このデータの補正を行なわせる。そして、画像処理装置82は、印画紙プリンタ16にデータを送り、プリンタ16はプリントする（ステップ S56）。コントローラ36は、フィルムのすべてのコマの読み込みが完了しているかどうかの情報をフィルムスキャナ88から得て、ラボ処理が終了したかどうかを判断する。完了している場合は、ステップ S50に戻る。完了していない場合は、ステップ S52に戻り、読み込みを行なう（ステップ S58）。
【００８５】
ステップ S54においてインスタント撮影の要求があったときは、コントローラ36はラボ用プリント未了フラグを１にするとともに、フィルムの読み込みとハードディスク90への格納とを、以下のステップ S62から66に示すように管理する。コントローラ36は、今読み込みが完了したフィルム画像データをハードディスク90に格納する（ステップ S62）。
【００８６】
次に、フィルムの読み込みが完了しているかどうかの情報をフィルムスキャナ88から得て、読み込みが終了したかどうかを判断する。完了している場合は、インスタント撮影の終了後にプリントを行なうため、読み込み処理を終えて、ステップ S50に戻る（ステップ S64）。
【００８７】
読み込みが終了していない場合は、フィルムスキャナ88にフィルムを１コマ読み込むことを指示する。フィルムスキャナ88は、指示を受けて読み込みを行なう（ステップ S66）。
【００８８】
次に、ラボ処理におけるプリント処理が中断された後、インスタント撮影が終了し、ラボ処理におけるプリント処理を再開したときの処理を図10により説明する。以下の処理は、図８のステップ S46に続いて行なわれる。ハードディスク90内に格納されているフィルム画像データのうち１コマ分を印画紙プリンタ16に送りプリントする（ステップ S70）。
【００８９】
次に、CPU18 は、コイン検知器126 からコインを検知したことを示す信号を受けているかどうかを調べる。受けているときは、インスタント撮影を優先的に処理するために、インスタント撮影中フラグを１にするとともに、図８に示すステップ S32以下の処理を行なう（ステップ S72）。
【００９０】
インスタント撮影の要求を受けていないときは、ハードディスク90にプリントが終了していないフィルム画像データがあるかどうかを調べて、ない場合はラボ処理を終了するとともに、ラボ用プリント未了フラグを０にセットして、図７のステップ S10に戻る。まだプリントが終了していないフィルム画像データがある場合は、ステップ S70に戻る（ステップ S74）。
【００９１】
図７に戻って、ステップ S16のインスタント撮影は、ラボ処理と並行しては行なわないため、図８に示す処理のうちステップ S46を除く処理が行なわれる。また、ステップ S18のラボ処理は、インスタント撮影と並行しては行なわないため、図９に示すステップ S50、52、56、58 がこの順序で行なわれる。ステップ S52、56、58は、フィルムのすべてのコマの処理が終了するまで繰り返し行なわれる。
【００９２】
このように本実施例によれば、撮影済フィルムのバッチ処理とインスタント撮影との両方が可能で、かつ従来よりもコストの低い写真撮影システムを提供することができる。
【００９３】
また、従来の簡易撮影装置と同様に簡易にかつ短時間で写真プリントが入手できるとともに、写真プリントが高品位である写真撮影システムを提供することができる。
【００９４】
さらに、従来の簡易撮影装置と同様に簡易にかつ短時間で写真プリントが入手できるとともに、撮影した画像のうち、プリントすべき画像を選択できる写真撮影システムを提供することができる。
【００９５】
なお、上記の実施例においては、ラボ処理とインスタント撮影の両方が可能であるが、ラボ処理の機能を落とし、インスタント撮影のみを行なうシステムとしてもよい。そのときは、制御部106 と、操作部108 と、撮影部12と、印画紙プリンタ16と、画像処理装置82とを有するシステムとすればよい。このシステムによれば、電子スチルカメラを用いて撮影を行なうため、従来の簡易撮影装置と同様に簡易にかつ短時間で写真プリントが入手できるとともに、写真プリントが高品位である写真撮影システムを提供することができる。このシステムにより、さらに、撮影した画像のうち、プリントすべき画像を選択できる写真撮影システムを提供することができる。
【００９６】
このシステムにおいて、撮影部12を複数有し、印画紙プリンタ16を複数の撮影部12の間で共用することにより、複数の人を同時にインスタント撮影することができる。このようなシステムの用途としては、たとえば、警察における運転免許証用の写真撮影がある。また、複数の地点に撮影部12を設置し、撮影部12と印画紙プリンタ16等のシステムを構成する装置間を通信回線で接続するシステムとしてもよい。
【００９７】
上記のシステムはいずれも電子スチルカメラを撮影部で利用しているため、従来のフィルムを使用するスチルカメラを用いた簡易撮影装置に比べて、フィルムの補充作業が不要となるためメインテナンスが容易であるというメリットがある。
【図面の簡単な説明】
【００９８】
【図１】本発明に係る写真撮影システムの一実施例のブロック図である。
【図２】図１に示す写真撮影システムの撮影部の一実施例のブロック図である。
【図３】図２に示す撮影部に含まれるCRT の表示画面の一例を示す図である。
【図４】図２に示す撮影部に含まれるスイッチ部の外面のボタンの配列の一例を示す図である。
【図５】図１に示す写真撮影システムで用いられる電子スチルカメラの一実施例のブロック図である。
【図６】図１に示す写真撮影システムのフィルム処理部の一実施例のブロック図である。
【図７】図１に示す写真システムの動作の全体フロー図である。
【図８】図１に示す写真システムがインスタント撮影を行なうときの処理フロー図である。
【図９】図１に示す写真システムがラボ処理を行なうときの処理フロー図である。
【図１０】図１に示す写真システムがラボ処理を行なうときの処理フロー図である。
【図１１】図１に示す写真システムがインスタント撮影を行なうときの処理フロー図である。
【符号の説明】
【００９９】
10  写真撮影システム
12  撮影部
14  フィルム処理部
16  印画紙プリンタ
26  CRT 
28  電子スチルカメラ
30  スイッチ部
82  画像処理装置
88  フィルムスキャナ
90  ハードディスク
106 制御部
【図１】
2005322229.tif 000003
【図２】
2005322229.tif 000004
【図３】
2005322229.tif 000005
【図４】
2005322229.tif 000006
【図５】
2005322229.tif 000007
【図６】
2005322229.tif 000008
【図７】
2005322229.tif 000009
【図８】
2005322229.tif 000010
【図９】
2005322229.tif 000011
【図１０】
2005322229.tif 000012
【図１１】
2005322229.tif 000013